(57)【要約】【課題】撮影モードあるいは撮像カメラの選択に合わせて撮像手順を自動的に変更して誤りなく種々の撮影モードで良好な眼底撮影を行うことを可能とする。【解決手段】カラー撮影あるいは可視蛍光撮影のためにデジタルカメラＡが選択された場合、撮影スイッチ５４の操作により記録装置７０が起動されたあと眼底カメラ５０側の制御でフラッシュ光源３が発光し、赤外蛍光静止画撮影のためにデジタルカメラＢが選択されると、同カメラが起動されたあと眼底カメラ側の制御でフラッシュ光源が発光する。赤外蛍光動画撮影のためにアナログカメラが選択されると、記録装置が起動されたあとフラッシュ光源が記録装置側で制御されて発光する。撮像カメラの選択に合わせて撮像手順が自動的に変更されるので、誤操作が少なくなる。【選択図】図２
2006061233.tif 000002
【特許請求の範囲】
【請求項１】
撮影スイッチの操作に応答してフラッシュ光を発光させるフラッシュ光源と、フラッシュ光で照明された眼底の画像を電子画像として撮影する複数の撮像手段を有し、撮影された眼底の画像を記録する記録装置が接続可能な眼科撮影装置であって、
複数の撮像手段の一つを選択する選択手段と、
撮像手段ごとにプログラムされている撮影手順に従って撮影並びに記録を制御する制御手段とを備え、
撮影スイッチが操作されたとき、選択された撮像手段の撮影手順に従って眼底撮影が実行されることを特徴とする眼科撮影装置。
【請求項２】
撮影スイッチが操作されたとき、フラッシュ光源を発光させるタイミングが選択された撮像手段に応じて眼科撮影装置側あるいは記録装置側で制御されることを特徴とする請求項１に記載の眼科撮影装置。
【請求項３】
撮影スイッチが操作されたとき、選択された撮像手段に応じて撮像手段あるいは記録装置に起動がかけられることを特徴とする請求項１又は２に記載の眼科撮影装置。
【請求項４】
前記複数の撮像手段は、第１から第３のＣＣＤであり、第１のＣＣＤが選択された場合、撮影スイッチの操作により記録装置が起動されたあと眼科撮影装置側で前記タイミングが制御されてフラッシュ光源が発光し、第２のＣＣＤが選択された場合、撮影スイッチの操作により第２のＣＣＤが起動されたあと眼科撮影装置側で前記タイミングが制御されてフラッシュ光源が発光し、また第３のＣＣＤが選択された場合は、撮影スイッチの操作により記録装置が起動されたあと前記タイミングが記録装置側で制御されてフラッシュ光源が発光することを特徴とする請求項２又は３に記載の眼科撮影装置。
【請求項５】
前記眼科撮影装置は複数の撮影モードを有し、撮影モードの選択により撮像手段が選択されることを特徴とする請求項１から４のいずれか１項に記載の眼科撮影装置。
【請求項６】
カラー撮影又は可視蛍光撮影が選択されると第１のＣＣＤが選択され、赤外蛍光の静止画撮影が選択されると第２のＣＣＤが選択され、赤外蛍光の動画撮影が選択されると第３のＣＣＤが選択されることを特徴とする請求項５に記載の眼科撮影装置。
【請求項７】
赤外蛍光の動画撮影と静止画撮影が同一のＣＣＤで行われることを特徴とする請求項６に記載の眼科撮影装置。
【請求項８】
前記記録装置が眼科撮影装置と別体となっていることを特徴とする請求項１から７のいずれか１項に記載の眼科撮影装置。
【請求項９】
前記第２のＣＣＤは眼科撮影装置に外付けされることを特徴とする請求項４から８のいずれか１項に記載の眼科撮影装置。
【発明の詳細な説明】
【技術分野】
【０００１】
本発明は、眼科撮影装置、更に詳細には、眼底の画像を電子画像として撮影する複数の撮像手段を有し、撮影された眼底の画像を記録する記録装置が接続可能な眼科撮影装置に関する。
【背景技術】
【０００２】
従来から、カラー撮影モード、蛍光撮影モードなど複数の撮影モードを有し、また各撮影モードに対応した撮影カメラを持つ眼科撮影装置が知られている。この種の眼科撮影装置（眼底カメラ）では、選択した撮影モードと使用したいカメラに合わせて外部の記録装置の設定を切り換えるのが一般的である。また、フラッシュ同期で撮影できるカメラは最大２種類で共にファイリング装置に入力され、ファイリング装置の設定切換で対応している。
【０００３】
このような切換を必要とするのは、各撮影モードにより要求されるカメラの特徴が異なるからである。すなわち、カラー撮影、可視蛍光撮影では、可視領域に感度が高く高画素のカメラが要求され、赤外光による観察時では、赤外領域に感度が高いカメラがよく、この場合、画素数はそれほど要求されない。一方、赤外光による撮影（赤外蛍光時の静止画）では高画素であることがまず要求され、逆に感度に関しては良いことに越したことはないが観察時（動画時）の時ほどは要求されない。このように撮影モードにより要求されるカメラの特徴が異なるので、すべてのモードで撮影が可能な眼底カメラには、すべての帯域で感度がよく画素数の高いカメラがあればよいが、それは極めて高価なカメラとなるので、現実的には複数のカメラを用意して撮影モードに応じて使用するカメラを切り換えることになる。
【０００４】
また、このような眼底カメラでは、観察時カメラからの画像信号は動画信号として送り出され、観察用モニタに表示される。また動画撮影時にはその画像信号は観察用モニタと動画記録装置（画像ファイリング装置）に送り出される。一方、静止画撮影のときは、眼底カメラのフラッシュと同期させてカメラからの画像信号を画像ファイリング装置に取り込むことが必要になる。またフラッシュ同期のタイミング調整の方法、設定値などはカメラにより多少異なっているので、撮影モードに応じて使用するカメラを選択した場合、その選択に従って画像ファイリング装置と使用するカメラとの同期システムも切り換えまたは変更しなければならない。
【０００５】
そのため、撮影モードを変更するときは、眼底カメラの設定・カメラの選択・同期方式の切換など必要とされる操作が多くなり、煩わしく、また間違いが多く起こる危険があった。このため、選択した撮影モードに応じて異なる記録手段に切り替えるとき、予め記録手段ごとにメモリに格納された制御信号パターンを読み出し、その制御信号パターンに従って記録手段を動作させることが行われている（例えば、特許文献１）。
【０００６】
また、撮像素子には、その特性から撮影時に起動をかけるのが好ましいものと、常時作動させておくものとがあり、その選択時には、撮像素子に応じて撮影時にトリガ信号を必要とするものと、そうでないものとがある。
【特許文献１】特開平８−３２２８０２号公報
【発明の開示】
【発明が解決しようとする課題】
【０００７】
しかしながら、従来では、撮影モードあるいは撮像カメラの選択に合わせてフラッシュ同期方式（フラッシュ発光方式）の切換あるいは撮像素子に対するトリガ信号の要否など撮影手順を自動的に変更できなかったので、切換操作が多くなり、誤操作が多く起こるという問題があった。
【０００８】
従って、本発明は、このような問題点を解決するもので、撮影モードあるいは撮像カメラの選択に合わせて撮像手順を自動的に変更して誤りなく種々の撮影モードで良好な眼底撮影を行うことが可能な眼科撮影装置を提供することを課題とする。
【課題を解決するための手段】
【０００９】
本発明は、
撮影スイッチの操作に応答してフラッシュ光を発光させるフラッシュ光源と、フラッシュ光で照明された眼底の画像を電子画像として撮影する複数の撮像手段を有し、撮影された眼底の画像を記録する記録装置が接続可能な眼科撮影装置であって、
複数の撮像手段の一つを選択する選択手段と、
撮像手段ごとにプログラムされている撮影手順に従って撮影並びに記録を制御する制御手段とを備え、
撮影スイッチが操作されたとき、選択された撮像手段の撮影手順に従って眼底撮影が実行されることを特徴とする。
【発明の効果】
【００１０】
本発明では、撮影スイッチを操作したときのフラッシュ光源の発光タイミング、眼底画像の撮影並びに記録という撮影手順が撮像手段ごとにプログラムされており、選択された撮像手段の撮影手順により眼底撮影並びに記録が行われるので、撮像手段に固有な切換操作をプログラム化して自動化することにより、設定の間違いを防ぐことができる、という効果が得られる。特に、フラッシュを同期発光させるタイミングを眼科撮影装置側で制御するか、あるいは記録装置側で制御するかを、撮影モードや撮像手段の選択に合わせて、自動的に決定することができる、という利点が得られる。
【発明を実施するための最良の形態】
【００１１】
本発明は、複数の撮影モードと複数の撮像手段を有し、複数のフラッシュ同期方式を有する眼底カメラで撮影モードや撮像手段の選択に合わせて、フラッシュ同期方式など撮影手順を自動的に変更できるもので、以下、添付図面を参照して本発明を詳細に説明する。
【実施例１】
【００１２】
図１には、本発明の眼科撮影装置（眼底カメラ）５０の実施例が図示されており、ハロゲンランプなどの観察用光源１からの光束は、凹面鏡２で集光されたあと、撮影用光源であるフラッシュ光源（ストロボ）３、コンデンサーレンズ４を経てミラー５で反射された後、リレーレンズ２０、２１を通過して穴あき全反射ミラー２２で反射され、この全反射ミラー２２で反射された光束は対物レンズ２３により被検眼Ｅの瞳Ｅｐで結像された後、眼底Ｅｒに入射する。
【００１３】
この眼底照明光学系の光路には、赤外透過可視光カットフィルタ６あるいは可視光透過赤外光カットフィルタ６’が観察用光源１の後に選択的に挿入され、また照明光学系には、標準リングスリット１１、小瞳孔用のリングスリット１２、蛍光用の大リングスリット１３を切り替えることができるターレット円盤１０が設けられ、ターレット円盤を回転させることにより、いずれかのリングスリットを照明光学系の光路に挿入できる。挿入されたリングスリットは、ほぼ被検眼Ｅの瞳Ｅｐの位置に結像され、リング状の開口部を介して照明光が入射され、それにより眼底が均一に照明される。また、このとき眼底からの有害な反射光が各リングスリットの円形遮光板の像により遮光される。標準のリングスリット１１は、通常使用されるリングスリットで、小瞳孔用のリングスリット１２は、被検者の散瞳状態が十分ではないとき、あるいは被検者が子供のような、いわゆる小瞳孔に対して使用され、蛍光用リングスリット１３は、主に赤外蛍光撮影のときに用いられるもので、照明光を多く入射させるために使用される。
【００１４】
また、リングスリットを切り替えるターレット円盤１０の背後には、スルーフィルタ１６、４５０ｎｍから５２０ｎｍの青色光束を通過させる可視蛍光用エキサイタフィルタ１７、７００ｎｍから８００ｎｍの赤外光を通過させる赤外蛍光用エキサイタフィルタ１８を配置したターレット円盤１５が設けられる。スルーフィルタ１６が選択されると、すべての光束を通過させることができ、可視蛍光用エキサイタフィルタ１７は、可視蛍光撮影時に挿入され、また赤外蛍光用エキサイタフィルタ１８は、赤外蛍光撮影時に光路に挿入され、赤外域のみの光を透過させる。
【００１５】
被検眼Ｅの眼底Ｅｒからの反射光は、再び瞳Ｅｐの中心部を通過して対物レンズ２３を介して受光され、穴あき全反射ミラー２２の穴を通過し、撮影光学系の光路に配置された撮影絞り２４、フォーカスレンズ２５、２６、結像レンズ２７Ａを通過してリターンミラー３０に入射する。結像レンズ２７Ａは、倍率の異なる結像レンズ２７Ｂと交換できこれにより変倍機構を構成している。また、この撮影光路で撮影絞り２４とフォーカスレンズ２５の間に、可視蛍光撮影時、眼底からの可視蛍光を透過させるためにバリアフィルタ４２が挿入できるようになっている。
【００１６】
リターンミラー３０で反射された眼底からの光束は、リターンミラー３１で反射され肉眼観察光学系を構成する接眼レンズ（ファインダ）３２に入射するので、検者は接眼レンズ３２を介して眼底像を観察することができる。また、赤外透過可視光カットフィルタ６を挿入し、リターンミラー３１が跳ね上がって光路より離脱すると、眼底からの光束はリターンミラー３３により反射されて赤外光用観察光学系に入射する。この赤外光用観察光学系は、結像レンズ２８と、赤外光に感度を有する赤外ＣＣＤ（撮像手段）３５を有し、これにより撮像された赤外眼底像は、記録ユニット３９内の切替回路を介してモニタ４０に表示されたり、あるいは記録ユニット３９に記録される。
【００１７】
また、リターンミラー３１とリターンミラー３３間の光路には、赤外蛍光撮影時、８２０ｎｍから９００ｎｍの赤外光を透過させる赤外蛍光用バリアフィルタ４３が挿入できるようになっている。
【００１８】
リターンミラー３３が跳ね上がって光路から離脱すると、眼底からの光束は、フィールドレンズを通過する。このフィールドレンズは２９Ａ、２９Ｂ、２９Ｃの３枚のレンズが選択可能に設けられ、その選択は、本体の変倍レンズ２７Ａ／Ｂの選択や撮影モードの選択に応じてなされる。つまり、フィールドレンズ２９ＡはカラーＣＣＤ３６と変倍レンズ２７Ａを使用するときに選択され、フィールドレンズ２９ＢはカラーＣＣＤ３６と変倍レンズ２７Ｂを使用するときに選択され、フィールドレンズ２９Ｃは赤外ＣＣＤ３７を使用するときに変倍レンズに関係なく選択されるべきものである。この場合変倍および撮影モードの設定から自動的にそれぞれ適したフィールドレンズを挿入するような機構にしてもよいが、連動機構は複雑になるので、適したフィールドレンズが挿入されていない場合は警告音を発するような機構を設けるようにしてもよい。
【００１９】
フィールドレンズを通過した後に光束は、ダイクロイックミラー３４に入射し、可視光と赤外光が分離される。可視光はダイクロイックミラー３４で反射されて可視光に感度を有するカラーＣＣＤ（撮像手段）３６に入射し、一方赤外光は、ダイクロイックミラー３４を透過して赤外光に感度を有する赤外ＣＣＤ（撮像手段）３７に入射する。カラーＣＣＤ３６で撮像された眼底像は、ダイクロイックミラー３４で反射された像であり、赤外ＣＣＤ３７で撮像された眼底の反転像となっているので、画像反転回路３８を設け、カラーＣＣＤ３６と赤外ＣＣＤ３７からのいずれかの像を反転処理して観察画像と撮影画像の上下が一致するように画像処理する。これらのＣＣＤ３６、３７は撮影時フラッシュ光源３の発光により得られる眼底像を撮像するので、モニタ４０には、記録ユニット３９の切替回路により眼底の静止画像が表示される。
【００２０】
記録ユニット３９は、赤外ＣＣＤ３５、カラーＣＣＤ３６及び赤外ＣＣＤ３７で撮像された眼底画像を記録する記録機能並びにそれをデータベース化して保存するファイリング機能を有している。記録ユニット３９と反転回路３８は記録装置７０を構成しており、この記録装置は、眼底カメラと一体とすることもでき、また別体とすることもできる。
【００２１】
また、リターンミラー３０が跳ね上がって光路から離脱する時には、眼底画像が３５ｍｍフィルムのような写真フィルム４４に撮影できるようになっている。この写真フィルムの代わりにカラーＣＣＤ３６と同等な撮像手段を用いて眼底像を撮影することもできる。
【００２２】
図２には、眼科撮影装置の制御系の構成が図示されており、図１と同じ部分には、同じ符号が付されている。
【００２３】
眼底カメラ５０のフロントパネル５１には、カラー撮影、可視蛍光撮影、赤外蛍光撮影などの撮影モードを選択できるスイッチ（不図示）が設けられており、その選択された撮影モード情報５２が眼底カメラ５０のＣＰＵで構成される主制御部（制御手段）５５並びに記録装置７０に入力される。またフロントパネルには、使用するＣＣＤを選択できるスイッチ（不図示）も設けられており、その選択されたＣＣＤの情報５３が同様に主制御部５５と記録装置７０に入力される。
【００２４】
使用されるＣＣＤは、カラー撮影、可視蛍光撮影を行うためのカラーＣＣＤ３６で、この種のＣＣＤは、デジタルカメラＡ（第１のカメラ）として示されており、可視領域に感度を持ち画素数は約２００万である。また、赤外蛍光撮影（静止画）のために使用される赤外ＣＣＤ３７は、デジタルカメラＢ（第２のカメラ）として示されており、この種のデジタルカメラＢは、可視領域から赤外領域まで感度を持つ白黒カメラで、高画素（約１４０万）であるが、赤外感度は以下に述べるアナログカメラに比べて低く、高価である。また、全ての撮影モードの観察時あるいは赤外蛍光の動画撮影用には赤外ＣＣＤ３５が使用され、このＣＣＤは、アナログ信号を出力するので以下ではアナログカメラ（第３のカメラ）として示されており、可視領域から赤外領域まで感度を持つ白黒カメラで、低画素（約４０万）だが赤外感度は高く、また、デジタルカメラＡ、Ｂより安価である。
【００２５】
赤外蛍光静止画の撮影のために、デジタルカメラＢは無くてもアナログカメラで撮影は可能であるが、より良い画像を得るためには高解像度のカメラが必要とされ、そのためデジタルカメラＢを使用するのが好ましい。
【００２６】
また眼底カメラ５０は、記録装置７０をトリガ（起動）するためのトリガ信号を出力するトリガ信号出力部５６と、デジタルカメラＢをトリガするためのトリガ信号出力部５７を有し、また主制御部５５はフラッシュ同期制御部５９を介してフラッシュ発光制御部５８の制御により眼底カメラ側で決められる所定のタイミングでフラッシュ光源３を発光させる。またフラッシュ発光制御部５８は、記録装置７０から出力されるフラッシュ発光信号を受けて記録装置側で決められる所定のタイミングでフラッシュ光源３を発光させる。
【００２７】
このような構成において、種々の撮影モードでの動作を説明する。  
【００２８】
カラー撮影を行うときは、フロントパネル５１で撮影モードとしてカラー撮影（無散瞳）を選択し、使用するＣＣＤとしてデジタルカメラＡ（カラーＣＣＤ３６）を選択する。これらの情報は、撮影モード情報５２、使用ＣＣＤ選択情報５３として主制御部５５並びに記録装置７０に入力される。
【００２９】
無散瞳撮影であるので、赤外透過フィルタ６が選択されて光路に挿入され、リングスリットとしては、小瞳孔用リングスリット１２が光路に挿入され、照明用フィルタとしてはスルーのフィルタ１６が光路に挿入される。バリアフィルタ４２、４３は、光路から離脱されており、リターンミラー３０は図示の位置を占めており、リターンミラー３１は光路から離脱される。観察用光源１で照明された眼底Ｅｒの像は、対物レンズ２３、穴あき全反射ミラー２２、撮影絞り２４、フォーカスレンズ２５、２６、結像レンズ２７を通過して、リターンミラー３３で反射されたあと赤外ＣＣＤ３５に結像されモニタ４０により観察が行われる。アライメント、焦点合わせが完了すると、撮影スイッチ（シャッターボタン）５４が操作される。
【００３０】
撮影スイッチ５４の操作により、図４（Ａ）に示すように、眼底カメラ５０は、所定のディレイ時間経過後にトリガ出力部５６からトリガ信号を記憶装置７０へ出力して記録装置を起動し、その出力後に眼底カメラ側のタイミング信号によりフラッシュ同期制御部５９を介してフラッシュ光源３を同期発光させる。また、撮影スイッチ５４の操作によりリターンミラー３３が光路から離脱するので、フラッシュ光で照明された眼底の像は、ダイクロイックミラー３４で反射されてカラーＣＣＤ３６に結像され、眼底のカラー撮影が行われる。カラーＣＣＤ３６で撮影された眼底の画像は、一旦バッファに格納された後、録画指令信号により記録装置７０の記録ユニット３９に記録され、データベース化して保存される。
【００３１】
このデジタルカメラＡを使用したカラー撮影のときの信号の流れが、図２で太い実線Ｓ１で図示されており、また図３で表の形で上段に示されている。
【００３２】
なお、散瞳撮影のときは、可視光透過赤外光カットフィルタ６’が光路に挿入され、リングスリットとしては、標準リングスリット１１又は小瞳孔用リングスリット１２が光路に挿入される。リターンミラー３０、３１、３３が図示の位置を占めており、接眼レンズ３２を介して眼底観察が行われ、撮影スイッチ５４の操作により、ミラー３０が光路から離脱してフィルム４４により撮影が行われる。
【００３３】
次に、可視蛍光撮影を行う場合は、同様にデジタルカメラＡが使用されるので、これらの情報が撮影モード情報５２、使用ＣＣＤ選択情報５３として主制御部５５並びに記録装置７０に入力される。
【００３４】
可視蛍光撮影のときは、リングスリットは、標準あるいは小瞳孔用リングスリット１１、１２が選択され、また、照明光用フィルタとしては、可視蛍光用エキサイタフィルタ１７が、撮影用フィルタとしては、可視蛍光用バリアフィルタ４２が選択される。観察時、赤外ＣＣＤ３５でモニタ観察するときは、赤外透過フィルタ６が挿入され、リターンミラー３１は光路から離脱される。アライメント、焦点合わせが完了すると、蛍光剤が静注され、エキサイタフィルタ１７とバリアフィルタ４２が光路に挿入され、タイマーが計時を開始する。所定時間が経過すると、可視蛍光用エキサイタフィルタ１７を通過した励起光により眼底に可視蛍光像が発生するので、撮影スイッチ５４が押される。
【００３５】
この撮影スイッチ５４の操作によるトリガー信号の発生並びにフラッシュの同期発光のタイミングは、無散瞳カラー撮影のときと同様である（図３、図４（Ａ））。撮影スイッチ５４の操作によりリターンミラー３３が光路から離脱するので、可視蛍光像がカラーＣＣＤ３６により撮影される。撮影スイッチ５４が操作されるごとに同様な動作となり、可視蛍光像の撮影が行われる。撮像された可視蛍光像は、眼底のカラー撮影のときと同様に記録装置７０に順次記録され保存される。
【００３６】
また赤外蛍光撮影が行われるときは、デジタルカメラＢ（赤外ＣＣＤ３７）が選択される。これらの情報が撮影モード情報５２、使用ＣＣＤ選択情報５３として主制御部５５並びに記録装置７０に入力される。
【００３７】
赤外蛍光撮影のときは、リングスリットとしては、眼底への投影光量が最大となる蛍光用リングスリット１３が選択され、また照明光用フィルタとしては、赤外蛍光用エキサイタフィルタ１８が、撮影用フィルタとしては、赤外蛍光用バリアフィルタ４３が選択される。観察時には、リターンミラー３１が光路から離脱されて赤外ＣＣＤ３５によるモニタ観察が行われる。アライメント、焦点合わせが完了すると、蛍光剤が静注され、赤外蛍光用バリアフィルタ４３が挿入され、タイマーが計時を開始する。所定時間が経過すると、赤外蛍光用エキサイタフィルタ１８を通過した励起光により眼底に赤外蛍光像が発生するので、撮影スイッチ５４が操作される。
【００３８】
撮影モード選択で赤外蛍光撮影が、またデジタルカメラＢを使用することが選択されているので、眼底カメラ５０は、図４（Ｂ）に示したように、撮影スイッチ５４の操作に同期して所定の遅延時間の後、トリガ出力部５７からトリガ信号をデジタルカメラＢへ出力し、その出力後に眼底カメラ側のタイミング信号によりフラッシュ同期制御部５９を介してフラッシュ光源３を同期発光させる。また、撮影スイッチ５４の操作によりリターンミラー３３が光路から離脱するので、眼底の赤外蛍光像は、ダイクロイックミラー３４を透過してカラーＣＣＤ３７に結像され、赤外蛍光像の撮影が行われる。この赤外蛍光像は、画像反転処理回路３８で画像の上下が反転されて一旦バッファに格納された後、録画指令信号により静止画像として記録ユニット３９に記録、保存される。
【００３９】
このデジタルカメラＢを使用した赤外蛍光撮影のときの信号の流れが、図２で点線Ｓ２で図示されており、また図３で表の形で中段に示されている。
【００４０】
次に、赤外蛍光の動画を撮影する場合は、アナログカメラ（赤外ＣＣＤ３５）が選択され、これらの情報が撮影モード情報５２、使用ＣＣＤ選択情報５３として主制御部５５並びに記録装置７０に入力される。
【００４１】
光学系は、赤外蛍光の静止画の撮影のときと比較してリターンミラー３３が光路に挿入され、赤外蛍光像が赤外ＣＣＤ３５に結像されて動画撮影が行われる点が相違する。
【００４２】
赤外蛍光の動画撮影のためにアナログカメラを使用することが選択されているので、眼底カメラ５０は、図４（Ｃ）に示したように、撮影スイッチ５４の操作に同期して所定の遅延時間の後、トリガ出力部５６からトリガ信号を記録装置７０へ出力し、記録装置７０から所定のタイミングで発生するフラッシュ発光信号がフラッシュ発光制御部５８に入力され、フラッシュ光源３を発光させて撮影が行われる。この赤外蛍光像は、動画像として記録ユニット３９に記録、保存される。
【００４３】
このアナログカメラを使用した赤外蛍光の動画像の撮影のときの信号の流れが、図２で一点鎖線Ｓ３で図示されており、また図３で表の形で下段に示されている。なお、このアナログカメラは、図３の下段で示したように、すべての撮影モードでの眼底観察時にも使用されるものである。
【００４４】
本発明では、撮影スイッチを操作したときのトリガ信号の要否、フラッシュの発光タイミング、撮影並びに記録という撮影手順が各ＣＣＤごとにプログラムされて、例えば主制御部５５のメモリにその手順が格納されるので、撮影スイッチの操作に応答して選択されたＣＣＤに応じた撮影手順により眼底撮影並びに記録が行われる。従って、切換操作が少なく設定の間違いを防ぐことができる、という効果が得られる。
【００４５】
なお、赤外蛍光の動画撮影を行う赤外ＣＣＤ３５と静止画撮影を行う赤外ＣＣＤ３７を共通の赤外ＣＣＤで行うようにしてもよい。また、記録装置７０は眼底カメラ５０と別体となっているが、記録装置を眼底カメラ内に設けるようにしてもよい。またカラーＣＣＤ３６、赤外ＣＣＤ３７は、眼底カメラに内蔵あるいは外付けさせることもできる。
【００４６】
また、上述した実施例では、撮影モードとＣＣＤの選択が独立して行えるようになっているが、撮影モードの選択により使用されるＣＣＤが自動的に選択できるようにしてもよい。この場合には、カラー撮影又は可視蛍光撮影が選択されるとデジタルカメラＡが選択され、赤外蛍光の静止画撮影が選択されるとデジタルカメラＢが選択され、赤外蛍光の動画撮影が選択されるとアナログカメラが選択される。
【図面の簡単な説明】
【００４７】
【図１】眼科撮影装置の光学系の構成を示した光学図である。
【図２】眼科撮影装置の制御系の構成を示したブロック図である。
【図３】カメラの種類に応じたフラッシュ同期制御を説明する表図である。
【図４】各撮影モードでのフラッシュ発光のタイミングを示したタイミング図である。
【符号の説明】
【００４８】
３    フラッシュ光源
３５  赤外ＣＣＤ（アナログカメラ）
３６  カラーＣＣＤ（デジタルカメラＡ）
３７  カラーＣＣＤ（デジタルカメラＢ）
３９  記録ユニット
４０  モニタ
５０  眼底カメラ
７０  記録装置
【図１】
2006061233.tif 000003
【図２】
2006061233.tif 000004
【図３】
2006061233.tif 000005
【図４】
2006061233.tif 000006